(57)【要約】      （修正有）【課題】ユーザが映像表示装置への接続ケーブルの選択を必要としないコンパクトなデジタル信号送出装置を提供する。【解決手段】映像表示装置への接続ケーブルをデジタル信号送出装置に収納させる。デジタル信号送出装置の出力信号特性に相応しい伝送仕様（例えばＨＤＭＩ規格のカテゴリ１，２）の選択をするとともに、ＡＷＧ（Ａｍｅｒｉｃａｎ  ｗｉｒｅ  ｇａｕｇｅ）３８等あるいはこれより細い線材を採用したケーブルを選択し、細い線材で生じる特性劣化が大きい場合はこれを補償する装置をデジタル信号送出装置に内蔵する。【選択図】図１
2013085203.tif 000002
【特許請求の範囲】
【請求項１】
デジタル接続規格のケーブルと該規格の出力端子で構成されたケーブルユニットと、該ケーブルを収納するポケットを具備し、該ケーブルをＡＷＧ３８あるいはこれより細い線材で構成するとともに、該ケーブルで生じる特性劣化を該規格に準拠する程度に補償する装置を内蔵させるか、あるいは該ケーブルで生じる特性劣化が該規格に準拠する範囲に収納ケーブルユニットの長さを制限することを特徴とする映像表示装置への接続ケーブルを収納するデジタル信号送出装置。
【請求項２】
デジタル接続規格がＨＤＭＩ規格であり、該ケーブルで生じる特性劣化を補償する装置を３個のＴＭＤＳ信号を別々に増幅する補償装置とすることを特徴とする請求項１記載の映像表示装置への接続ケーブルを収納するデジタル信号送出装置。
【発明の詳細な説明】
【技術分野】
【０００１】本発明は大画面テレビ、プロジェクタ等の映像表示装置に接続するケーブルを収納するデジタルカメラ、携帯電話、タブレットＰＣ等のコンパクトなデジタル信号送出装置に関するものである。
【背景技術】
【０００２】２００２年に開発されたＨＤＭＩ規格はブルーレイ機器やＳＴＢ等のＨＤ信号源とＨＤＴＶの接続を狙ったものであったが、ＨＤＴＶへのＨＤＭＩ入力端子の普及拡大に伴い、近年デジタルカメラ、携帯電話、ＰＣ等にもＨＤＭＩ出力端子搭載が拡大しつつある。
しかし、ＨＤＭＩ入力端子はほぼＡタイプに統一されているものの、出力端子はＡタイプに加え、コンパクトな機器向けのＣ，Ｄタイプが登場し、販売店や消費者にとって接続ケーブルの選択や入手が容易でない。【０００３】更にはレッドメア（ＲｅｄＭｅｒｅ）社からアクティブＨＤＭＩケーブルの発表があり、ＨＤＭＩケーブルの種類が益々増える状況にある。
更に、今後ＤｉｉＶＡ規格やＭＨＬ規格の登場も考えられ、販売店や消費者にとって接続ケーブルの選択や入手が益々困難となる。【０００４】また、ＨＤＭＩケーブルにはカテゴリ１とカテゴリ２（ハイスピード）の２種類があるが、信号源がカテゴリ１で十分な場合でも、太くて重いカテゴリ２（ハイスピード）のＨＤＭ１ケーブルしか入手できないのが実情である。
【先行技術文献】
【０００５】
【非特許文献１】ＨＤＭＩ規格（ｈｔｔｐ：／／ｊａ．ｗｉｋｉｐｅｄｉａ．ｏｒｇ）
【０００６】
【非特許文献２】レッドメア（ＲｅｄＭｅｒｅ）社のＭＥＡ１６９１（ｈｔｔｐ：／／ｗｗｗ．ｒｅｄｍｅｒｅ．ｃｏｍ／ｂｕｓｉｎｅｓｓ／ｍｅａ１６９１．ｐｈｐ）
【発明の概要】
【発明が解決しようとする課題】
【０００７】デジタルカメラ、携帯電話、タブレットＰＣ等のコンパクトなデジタル信号送出装置に搭載されるデジタル接続規格がＨＤＭＩ規格の場合、出力端子はＡ，Ｃ，Ｄの３種類あり、長いケーブルが高価格のため、ユーザが必要最短のケーブルを選べるようケーブルメーカはＡ出力端子に対し０．５ｍ〜１０ｍ超まで１０種以上の品揃えをしているが、３種類の出力端子と１０種以上の長さのケーブルを全てカバーするには３Ｘ１０以上＝３０種類以上のケーブルを品揃えする必要があり、ＨＤＭＩケーブルメーカの事業リスクが益々拡大する。【０００８】ユーザや販売店にとっては現状の１０種以上のＨＤＭＩケーブルから適切なケーブルを選択することすら容易でなく、販売店にとってＨＤＭＩ規格のＡ，Ｃ，Ｄ３出力端子に対応したケーブルの品揃えは大きな負担増であり、ユーザにとっては適切なケーブルを選択、入手することが益々困難となる。【０００９】また、デジタルカメラ用ＨＤＭＩケーブルの大半はカテゴリ１で間に合うが、市場で販売されているケーブルはほとんどカテゴリ２であり、細くて軽いＨＤＭＩケーブルを入手できない。【００１０】結果として、大多数のＨＤＴＶがＨＤＭＩ入力端子を持ち、多くのデジタルカメラがＨＤＭＩ出力端子を持ちながら、デジタルカメラで撮影した写真を大画面ＨＤＴＶで楽しむことが普及していない。
更に、デジタルカメラはこれから登場する新しいＨＤＴＶで再生するに最適な画素仕様やアスペクト比の撮影モードや再生モードも搭載していない。
本発明はユーザが映像表示装置への接続ケーブルの選択を必要としないコンパクトなデジタル信号送出装置を提供するにある。
【課題を解決するための手段】
【００１１】前記の目的を達成するため、本発明では映像表示装置への接続ケーブルをデジタル信号送出装置に収納させる。コンパクトな機器に接続ケーブルを収納しやすくするため、デジタル信号送出装置の出力信号特性に相応しい仕様（ＨＤＭＩ規格の場合、カテゴリ１，２）の選択をするとともに、ＡＷＧ（Ａｍｅｒｉｃａｎ  ｗｉｒｅ  ｇａｕｇｅ）３８等あるいはこれより細い線材を採用したケーブルを選択し、細い線材で生じる特性劣化が大きい場合はこれを補償する装置をデジタル信号送出装置に内蔵させる。【００１２】あるいは特性劣化を補償しなくて良い範囲に出力信号仕様やケーブルの長さを制限し、装置内に接続ケーブルを収納させる。
【発明の効果】
【００１３】本発明によれば、ユーザが接続ケーブルを選択・購入する必要がなく、販売店も多くのケーブルを品揃えする必要もなくなり、ケーブル収納デジタルカメラが登場すれば、写真を大画面ＴＶで楽しむ方法が一気に普及し、デジタルカメラメーカにとって買い替え需要が期待できる。【００１４】ユーザにとっても、機器からケーブルを引き出し、ＴＶに接続するだけで写真を大画面ＨＤＴＶに映し出すことができる。
【図面の簡単な説明】
【００１５】
【図１】本発明のデジタル信号送出装置がデジタルカメラであり、デジタル接続規格がＨＤＭＩ規格である場合の実施例
【図２】本発明のデジタルカメラに収納されるＨＤＭＩケーブルユニット５の具体的実施例
【図３】本発明のケーブルユニット５に補償装置１０を搭載しない場合の実施例の部分図
【図４】本発明の第１の補償装置１０の実施例
【図５】本発明の第２の補償装置１２の実施例
【発明を実施するための形態】
【００１６】以下、本発明の実施例について説明する。
図１は本発明のデジタル信号送出装置がデジタルカメラであり、デジタル接続規格がＨＤＭＩ規格である場合の実施例を示す。
１はデジタルカメラであり、２のイメージセンサを含むカメラ光学系、３のＨＤＭＩ規格の信号を伝送する機能を含む信号処理装置、４のメモリ装置、５のＨＤＭＩ出力端子付きＨＤＭＩケーブルユニット、６のケーブル収納ポケットで構成される。
【００１７】次に、ＨＤＭＩケーブルユニット５がデジタルカメラのケーブル収納ポケット６から引き出され、ＨＤＭＩ出力端子が大画面ＴＶ７に接続され、メモリ装置に記録された映像がＴＶ画面上に再生される動作を説明する。
【００１８】メモリ装置４から読み出された映像情報は信号処理装置３でＨＤＭＩ規格形式の信号群に変換された後ＨＤＭＩケーブルユニット５に伝達され、ＨＤＭＩケーブルユニット５がＨＤＭＩ規格準拠の信号をＴＶに送出する。ＴＶ７はＣＥＣ信号を含むＨＤＭＩ規格の信号を検出し、自動的に入力信号を選択し、デジタルカメラ１の再生信号を映し出す。
【００１９】図２はデジタルカメラに設けられた蓋付きのポケットに収納されるＨＤＭＩケーブルユニット５の具体的実施例を示す。ケーブルユニット５はコネクタ８、ケーブル９、第１の補償装置１０、ＨＤＭＩ出力端子１１で構成される。現状ではＴＶのＨＤＭＩ入力端子は全てＡタイプ（メス）あり、したがって、ＨＤＭＩ出力端子１１はＡタイプ（オス）とするのが妥当だが、今後ＴＶ等の映像表示装置がＨＤＭＩのＡタイプだけでなくＣやＤタイプを搭載すると予想されるので、その時はＨＤＭＩ出力端子１１もＣやＤタイプのプラグ（オス）とすることが望ましい。
【００２０】また、現状のＨＤＭＩ規格では信号送出装置の出力端子をレセプタクル（メス）と想定しているのでＨＤＭＩ出力端子１１をレセプタクルとすることもできる。
【００２１】信号処理装置３とＨＤＭＩケーブルユニット５の接続はローコストの汎用端子接続とする場合と、ＨＤＭＩ規格のＣあるいはＤ端子接続とする場合がある。
【００２２】汎用端子を選択する場合は、信号処理装置３のインターフェイスを汎用端子のメスとし、コネクタ８をオスの汎用端子とし、ケーブル９は１〜２ｍ程度のＡＷＧ３８あるいはこれより細い線材で構成されたＨＤＭＩ用ケーブルとし、第１の補償装置１０は主としてケーブル９で発生する特性劣化を補償するもので、ＨＤＭＩ１．２ａ規格準拠の場合は高周波領域を１〜４ｄＢ／ｍくらい増幅・補償し、ＨＤＭＩ１．４規格準拠の場合は高周波領域を３〜８ｄＢ／ｍくらい増幅・補償する。
【００２３】この場合、ケーブルユニット５の出力信号がＨＤＭＩソース規格に準拠する必要がある。この場合は、信号処理装置３の出力信号もケーブルユニット５もＨＤＭＩ規格準拠に縛られないので、コスト低減がし易いメリットがある。
【００２４】ＲｅｄＭｅｒｅ社が発表している独立のアクティブＨＤＭＩケーブルの場合、ケーブル内に内蔵される補償装置は種々の線材及びケーブルの長さに対応する必要があり、大きな補償量、広い補償量調整範囲を持つとともに、ＨＤＭＩケーブル規格に準拠するために消費電力を５Ｖｘ５ｍＡ以下に抑えなければならない。
【００２５】一方、本発明のＨＤＭＩケーブル収納の信号発生装置の場合は、ＨＤＭＩソース規格に準拠するだけであり上記消費電力制限はない。また決まった線材を決まった長さで使用するので、補償量を固定することも可能であり、第１の補償装置１０を最少コストで実現できる。
【００２６】信号処理装置３のインターフェイスをＨＤＭＩ規格のＣあるいはＤ出力端子（メス）とする場合は、コネクタ８はＨＤＭＩのＣあるいはＤ出力端子（オス）で構成され、ＨＤＭＩ規格のＣあるいはＤ出力端子（メス）の出力信号がＨＤＭＩ規格に準拠する必要があるとともに、ケーブルユニット５もＨＤＭＩケーブル規格に準拠するよう第１の補償装置１０を設定する。この場合はコストアップになるが、消費者にとっては内蔵ケーブルの代わりに別売の長いＨＤＭＩケーブルが利用可能となるメリットがある。
【００２７】尚、本発明のデジタル信号送出装置がデジタルカメラの場合、信号処理装置３に静止画や動画を大画面ＴＶで色々に楽しめるよう、新しい機能を追加することでデジタルカメラの価値を高めることも可能である。
【００２８】例えば、現状ではカメラをＰＣに接続し、ＰＣ側の機能により４９１２Ｘ１９２０の静止画をＰＣのディスプレイに種々の形式で映し出すが、本発明では、信号処理装置３に上記４９１２Ｘ１９２０の静止画を１９２０Ｘ１０８０や２５２０Ｘ１０８０の静止画に変換するモードだけでなく、静止画の中心付近から１９２０Ｘ１０８０や２５２０Ｘ１０８０の高画質ズーム画像を切り出すモードを持たせることができる。
【００２９】また映像表示装置がＨＤＴＶの場合、デジタルカメラがＣＥＣ経由でＨＤＴＶのアスペクト比（１６：９や２１：９）や画素仕様（１９２０Ｘ１０８０、２５２０Ｘ１０８０、３８４０Ｘ２１６０や４０９６Ｘ２１６０等）を知ることができるので、デジタルカメラからの出力信号を自動的にＨＤＴＶのアスペクト比や画素仕様に合わせることで、高画質を実現できる。
また、デジタルカメラの画素仕様に新しいＨＤＴＶ画素仕様である２５２０Ｘ１０８０、３８４０Ｘ２１６０や４０９６Ｘ２１６０を加えることで、新しいＨＤＴＶに接続する場合、更なる高画質の映像を再生することができる。
【００３０】デジタルカメラの静止画を本格的にＨＤＴＶで楽しむには、各社のＨＤＴＶ採用カラーフィルタが異なることを考慮した色再現切り替え機能をデジタルカメラの信号処理装置３に搭載することでデジタルカメラの価値を高めることもできる。
【００３１】色再現切り替え機能の具体例としてはＲ，Ｇ，Ｂ信号への各重み付けテーブルをプラズマ用、液晶３色フィルタ用、液晶４色フィルタ用等の３通り程度設定し、再生時カメラ側で手動切り替えするか、ＴＶ側からカラーフィルタ情報をＣＥＣ経由でカメラに伝え、カメラ側で色再現特性を自動切り替えする。
【００３２】信号処理装置３から出力される信号が日本のデジタル放送と同じ１９２０Ｘ１０８０の６０Ｈｚインターレース以下の場合は、ケーブルユニット５はＨＤＭＩ規格カテゴリ１を満たせばよく、ケーブル９はより細い線材を選択できる。
【００３３】図３はケーブルユニット５に第１の補償装置１０を搭載しない場合の実施例の部分図である。ケーブルユニット５はコネクタ８（汎用オス）、ケーブル９、ＨＤＭＩ出力端子１１で構成され、信号処理装置３とケーブルユニット５の間に、第２の補償装置１２を設置する。
【００３４】第２の補償装置１２のケーブルユニット５とのインターフェイスは汎用端子（メス）とし、第２の補償装置１２はＨＤＭＩ出力端子１１の出力信号がＨＤＭＩ規格に準拠するよう、ケーブル９での特性劣化分を補償する。この実施例は図２の実施例より低コストにできる反面、第２の補償装置１２で補償できる範囲が６ｄＢ／ｍ以下に限定されるため、収納ケーブルの長さが限定される。
【００３５】図４は第１の補償装置１０の実施例である。第１の補償装置１０は第１の補償器１３、第２の補償器１４、第３の補償器１５、ＲＯＭ１６から構成される。ケーブル９のＲＧＢの３種のＴＭＤＳ信号は夫々補償器１３，１４，１５に入力され、増幅及び周波数特性を補償された後、ＨＤＭＩ出力端子１１から出力される。
補償器１３，１４，１５の各補償特性はＨＤＭＩ出力端子１１の出力信号がＨＤＭＩ規格に準拠するよう選択され、その各補償特性設定値がＲＯＭ１６に記録される。
【００３６】図５は第２の補償装置１２の実施例である。第２の補償装置１２は簡単な第１の補償回路１７，第２の補償回路１８，第３の補償回路１９で構成される。
信号処理装置３から出力されたＲ，Ｇ，ＢのＴＭＤＳ信号は別々に補償回路１７，１８，１９に入力され、ケーブルユニット５で想定される高域周波数特性劣化をある程度補償される。
【００３７】尚、デジタル信号送出装置からの出力信号が１９２０Ｘ１０８０、６０Ｈｚインターレース以下の周波数帯域に限定される場合は、第１の補償装置１０及び第２の補償装置１２のどちらも搭載せずに１ｍ程度のケーブルを収納可能となる。
収納ケーブルが比較的短い場合、補償回路１７，１８，１９は簡単なパッシブ回路で構成できる。
【００３８】以上、本発明によれば、ユーザはデジタル信号送出装置に収納されたケーブルを引き出し、映像表示装置に出力端子を接続するだけで映像を楽しむことができるとともに、機器メーカもコンパクトで便利なデジタル信号送出装置を合理的な価格で提供できる。
【符号の説明】
【００３９】１…デジタルカメラ、２…イメージセンサを含むカメラ光学系、３…ＨＤＭＩ規格の信号を伝送する機能を含む信号処理装置、４…メモリ装置、５…ＨＤＭＩ出力端子付きＨＤＭＩケーブルユニット、６…ケーブル収納ポケット、７…ＨＤＭＩ入力端子付きＴＶ、８…コネクタ、９…ケーブル、１０…第１の補償装置、１１…ＨＤＭＩ出力端子、１２…第２の補償装置、１３…第１の補償器、１４…第２の補償器、１５…第３の補償器、１６…ＲＯＭ、１７…第１の補償回路、１８…第２の補償回路、１９…第３の補償回路
【図１】
2013085203.tif 000003
【図２】
2013085203.tif 000004
【図３】
2013085203.tif 000005
【図４】
2013085203.tif 000006
【図５】
2013085203.tif 000007